(57)【要約】【課題】電線を貫通孔内に導く切込みを有するシール部材において、電線を貫通孔内に導く切れ込みを有するシール部材において、シール機能の低下を抑制することが可能なシール部材、及びそのシール部材を備えたコネクタを提供する。【解決手段】シール部材４は、少なくとも１つの貫通孔４１，４２，４３が形成されると共に、外周面４０ａ及び貫通孔４１，４２，４３の内周面４１ａ，４２ａ，４３ａの少なくとも何れかに周方向に延びるリップ部４０１〜４０３が形成されたシール部材４であって、外周面４０ａから貫通孔４１，４２，４３の内周面４１ａ，４２ａ，４３ａに至る切込み４１ｂ，４２ｂ，４３ｂを有し、リップ部４０１〜４０３は、切込み４１ａ，４２ａ，４３ａを挟む領域に、切込み４１ａ，４２ａ，４３ａに沿って厚みを厚くする肉厚部４４１〜４４４，４５１〜４５４，４６１〜４６４を有する。【選択図】図２
2013214429.tif 000002
【特許請求の範囲】
【請求項１】
少なくとも１つの貫通孔が形成されると共に、外周面及び前記貫通孔の内周面の少なくとも何れかに周方向に延びるリップ部が形成されたシール部材であって、
前記外周面から前記内周面に至る切込みを有し、
前記リップ部は、前記切込みを挟む領域に、前記切込みに沿って厚みを厚くする肉厚部を有する
シール部材。
【請求項２】
前記リップ部は、複数形成され、
隣り合う前記リップ部の前記肉厚部同士が互いに連結されて、前記切込みに沿って延びる一対の壁部を構成する
請求項１に記載のシール部材。
【請求項３】
前記リップ部は、複数形成され、
隣り合う前記リップ部の前記肉厚部同士の間に間隔を設けて形成されている
請求項１又は２に記載のシール部材。
【請求項４】
前記リップ部は、前記外周面及び前記貫通孔の内周面に形成されている
請求項１乃至３の何れか１項に記載のシール部材。
【請求項５】
前記切込みは、前記貫通孔の中心軸に平行に形成されている
請求項１乃至４の何れか１項に記載のシール部材。
【請求項６】
請求項１乃至５の何れか１項に記載のシール部材と、前記シール部材を収容する開口を有するハウジングとを備えたコネクタ。
【発明の詳細な説明】
【技術分野】
【０００１】
本発明は、シール部材、及びシール部材を備えたコネクタに関する。
【背景技術】
【０００２】
従来、例えば電気配線用のコネクタに、ハウジングと電線との間をシールするシール部材が用いられている（例えば、特許文献１，２参照。）。
【０００３】
特許文献１に記載のパッキンは、ハウジングに設けられた筒状部の内周面に挿入して使用される。このパッキンは、電線を挿通させる電線挿通孔を有し、略筒状に形成されたゴム材料製の環状部材であり、その外周面には、外方に突出した外周リップ部が形成されている。筒状部にパッキンが挿入されると、リップ部が筒状部の内周面により径方向につぶされることによって、パッキンと筒状部の内周面が密着し、シール機能を発揮する。
【０００４】
特許文献２に記載のゴム栓は、電線の絶縁被覆上に装着され、ハウジングの開口に挿入して使用される。このゴム栓は、略矩形平板状であり、電線の絶縁被覆と同様の直径である内径を有する開口が形成されると共に、この開口からゴム栓の一側縁に至るスリットが形成され、このスリットを介して電線をゴム栓の開口内に挿入可能である。ゴム栓の周縁は、ハウジングの開口と略同じ寸法となっているため、ハウジングの開口は、このゴム栓を挿入することによってシールされる。
【先行技術文献】
【特許文献】
【０００５】
【特許文献１】特開２０１０−１０６９７８号公報
【特許文献２】実開平５−４５９４４号公報
【発明の概要】
【発明が解決しようとする課題】
【０００６】
ところで、特許文献１に記載のパッキンを、予め端子が取り付けられた電線の一端部に装着する際に、端子の形状及び大きさによって電線及び端子をこの一端部側から電線収容孔に挿通できない場合には、電線の他端部側から一端部側までを電線の略全長に亘って電線収容孔に挿通していく作業が必要となるため、電線にパッキンを装着する作業の効率向上の妨げとなっていた。
【０００７】
そこで、本願の発明者らは、特許文献１に記載のパッキンに、特許文献２に記載されているようなスリットを適用することを考えた。しかしながら、特許文献１に記載のパッキンに特許文献２に記載の技術を適用しようとすると以下のような問題があった。
【０００８】
すなわち、パッキンをハウジングの開口に装着する際、スリット部の両側において外周リップ部が相互に位置ずれを起こしてしまう場合があり、この外周リップ部の位置ずれに起因して、外周リップ部と開口の内面とが密着する領域に不連続部が生じ、この不連続部において空気等の通り道ができ、シール性能が低下してしまうという問題があった。
【０００９】
そこで、本発明は、電線を貫通孔内に導く切込みを有するシール部材において、シール機能の低下を抑制することが可能なシール部材、及びそのシール部材を備えたコネクタの提供を目的とする。
【課題を解決するための手段】
【００１０】
本発明は、上記課題を解決することを目的として、少なくとも１つの貫通孔が形成されると共に、外周面及び前記貫通孔の内周面の少なくとも何れかに周方向に延びるリップ部が形成されたシール部材であって、前記外周面から前記貫通孔の内周面に至る切込みを有し、前記リップ部は、前記切込みを挟む領域に、切込みに沿って厚みを厚くする肉厚部を有するシール部材を提供する。
【００１１】
また、前記リップ部は、複数形成され、隣り合う複数の前記リップ部の前記肉厚部同士が互いに連結されて、前記切込みに沿って延びる一対の壁部を構成してもよい。
【００１２】
また、前記リップ部は、複数形成され、前記肉厚部は、隣り合う複数の前記リップ部の前記肉厚部同士の間に間隔を設けて形成されてもよい。
【００１３】
また、前記リップ部は、前記外周面及び前記貫通孔の内周面に形成されていてもよい。
【００１４】
また、前記切込みは、前記貫通孔の中心軸に平行に形成されていてもよい。
【００１５】
また、本発明は、上記課題を解決することを目的として、上記の何れかに記載のシール部材と、前記シール部材を収容する開口を有するハウジングとを備えたコネクタを提供する。
【発明の効果】
【００１６】
本発明に係るシール部材及びコネクタによれば、電線を貫通孔内に導く切れ込みを有するシール部材においてパッキンをハウジング等の開口に装着する際におけるシール機能の低下を抑制することができる。
【図面の簡単な説明】
【００１７】
【図１】第１の実施の形態に係るコネクタ装置の構成例を示す一部断面図である。
【図２】第１の実施の形態に係るシール部材を示す斜視図である。
【図３】シール部材を示し、（ａ）は上面図、（ｂ）は正面図である。
【図４】図２のＡ−Ａ線断面図である。
【図５】開口に挿入された際のシール部材の外周面の状態を示し、（ａ）は上面図、（ｂ）は（ａ）のＣ部の部分拡大図である。
【図６】壁部を有しない、比較例に係るシール部材が開口に挿入された際の外周面の状態を示し、（ａ）は上面図、（ｂ）は（ａ）のＤ部の部分拡大図である。
【図７】第２の実施の形態に係るシール部材を示す斜視図である。
【図８】シール部材を示し、（ａ）は上面図、（ｂ）は正面図である。
【図９】図７のＢ−Ｂ線断面図である。
【発明を実施するための形態】
【００１８】
［第１の実施の形態］
以下、本発明の第１の実施の形態に係るシール部材及びコネクタ装置の一構成例を図１〜５を参照して説明する。
【００１９】
図１は、第１の実施の形態に係るコネクタ装置１の構成例を示す一部断面図である。
【００２０】
コネクタ装置１は、雄コネクタ１１及び雌コネクタ１２を有している。雄コネクタ１１と雌コネクタ１２とは、雄コネクタ１１の雄側ハウジング２１と雌コネクタ１２の雌側ハウジング２２とを嵌合することにより結合される。本実施の形態では、雄側ハウジング２１の一部が雌側ハウジング２２に収容されるように、雄側ハウジング２１と雌側ハウジング２２とが嵌合される。雌コネクタ１２は、本発明に係る「コネクタ」の一例であり、雌側ハウジング２２は、本発明に係る「ハウジング」の一例である。
【００２１】
雄コネクタ１１は、一端に端子台部１１０を有している。端子台部１１０には、雄側接続端子１１１，１１２，１１３の一端が雄側ハウジング２１から露出している。雄側接続端子１１１，１１２，１１３は、導電性の金属からなり、例えば銅合金からなる基材の表面を錫めっきしてなる。
【００２２】
雌コネクタ１２には、複数（３本）の電線３１，３２，３３が接続されている。電線３１，３２，３３は、導電性の金属からなる芯線３１ａ，３２ａ，３３ａを、その先端部を除いて、絶縁被膜３１ｂ，３２ｂ，３３ｂで覆って構成されている。
【００２３】
電線３１，３２，３３は、例えば車両の走行用の駆動源としての電気モータに電流を供給するために用いられる。この場合、雄コネクタ１１の端子台部１１０は、電気モータ又はインバータのケース内に収容される。
【００２４】
雌コネクタ１２は、雄側接続端子１１１，１１２，１１３にそれぞれ電気的に接続される図示しない３つの雌側接続端子と、これら雌側接続端子を保持する雌側ハウジング２２とを有している。
【００２５】
雄側ハウジング２１と雌側ハウジング２２とが嵌合されると、雄側接続端子１１１，１１２，１１３と電線３１，３２，３３とが、それぞれ雌側接続端子を介して電気的に接続される。
【００２６】
雌側ハウジング２２には、その一端に、電線３１，３２，３３を挿通させる開口２２０が形成されている。開口２２０内には、電線３１，３２，３３と開口２２０の内面２２０ａとの間を封止するシール部材４が収容されている。
【００２７】
次に、シール部材４について、図２〜４を参照して詳しく説明する。図２は、第１の実施の形態に係るシール部材４を示す斜視図である。図３は、同じくシール部材４を示し、（ａ）は上面図、（ｂ）は正面図である。図４は、図２のＡ−Ａ線断面図である。
【００２８】
シール部材４は、外周面４０ａと一対の側面４０ｂとを有し、一対の側面４０ｂの間を厚さ方向に貫通する３つの貫通孔４１，４２，４３が形成されている。また、シール部材４は、外周面４０ａから貫通孔４１，４２，４３の内周面４１ａ，４２ａ，４３ａに至る切込み４１ｂ，４２ｂ，４３ｂを有する。本実施の形態では、切込み４１ｂ，４２ｂ，４３ｂが貫通孔４１，４２，４３の中心軸に沿って、これらの中心軸と平行に形成されている。このシール部材４は、弾性を有する材料であり、例えばシリコンゴム（その他、フッ素ゴム、ニトリルゴム、エチレンプロピルゴムなど）からなる。
【００２９】
貫通孔４１，４２，４３は、それぞれの中心軸が互いに平行かつ側面４０ｂに対して直交し、その内径は電線３１，３２，３３（図１に示す）の外径よりも小さく形成されている。内周面４１ａには、周方向の全周に亘って、貫通孔４１の内方にＶ字状に突出するリップ部４１１，４１２，４１３が形成されている。同様に、内周面４２ａ，４３ａには、周方向の全周に亘って、貫通孔４２，４３の内方にＶ字状に突出するリップ部４２１，４２２，４２３、及びリップ部４３１，４３２，４３３が形成されている。
【００３０】
外周面４０ａには、周方向の全周に亘って、外周面４０ａの垂直方向にＶ字状に突出する複数のリップ部４０１，４０２，４０３が形成されている。リップ部４０１，４０２，４０３は、互いに平行に形成されている。また、内周面４１ａのリップ部４１１，４１２，４１３、内周面４２ａのリップ部４２１，４２２，４２３、及び内周面４３ａのリップ部４３１，４３２，４３３は、それぞれ互いに平行に形成されている。
【００３１】
外周面４０ａに形成されたリップ部４０１と、内周面４１ａ，４２ａ，４３ａに形成されたリップ部４１１，４２１，４３１とは、貫通孔４１の中心軸方向において同じ位置に形成されている。同様に、外周面４０ａに形成されたリップ部４０２と、内周面４１ａ，４２ａ，４３ａに形成されたリップ部４１２，４２２，４３２とは、貫通孔４１の中心軸方向においてそれぞれ同じ位置に形成されている。また同様に、外周面４０ａに形成されたリップ部４０３と、内周面４１ａ，４２ａ，４３ａに形成されたリップ部４１３，４２３，４３３とは、貫通孔４１の中心軸方向においてそれぞれ同じ位置に形成されている。
【００３２】
外周面４０ａのリップ部４０１，４０２，４０３は、切込み４１ｂを挟む領域に、切込み４１ｂに沿って厚みを厚くする、すなわち貫通孔４１の中心軸に平行な方向における厚みを厚くする肉厚部４４１，４４２，４４３，４４４を有している。同様に、リップ部４０１，４０２，４０３は、切込み４２ｂを挟む領域に、切込み４２ｂに沿って厚みを厚くする、すなわち貫通孔４２の中心軸に平行な方向における厚みを厚くする肉厚部４５１，４５２，４５３，４５４を有している。また同様に、リップ部４０１，４０２，４０３は、切込み４３ｂを挟む領域に、切込み４３ｂに沿って厚みを厚くする、すなわち貫通孔４３の中心軸に平行な方向における厚みを厚くする肉厚部４６１，４６２，４６３，４６４を有している。
【００３３】
肉厚部４４１，４５１，４６１は、リップ部４０１の一方の側面４０ｂ側に設けられている。肉厚部４４２，４５２，４６２は、リップ部４０１とリップ部４０２との間に設けられている。肉厚部４４３，４５３，４６３は、リップ部４０２とリップ部４０３との間に設けられている。肉厚部４４４，４５４，４６４は、リップ部４０３の他方の側面４０ｂ側に設けられている。
【００３４】
本実施の形態では、隣り合う複数のリップ部４０１，４０２，４０３の肉厚部４４１，４４２，４４３，４４４同士は、互いに連結されて一体となり、壁部４４を構成する。壁部４４は、切込み４１ｂによって第１の壁部４４ａと第２の壁部４４ｂとに分割されている。第１の壁部４４ａ及び第２の壁部４４ｂは、一方の側面４０ｂから他方の側面４０ｂに至るように、切込み４１ｂに沿って延びている。第１の壁部４４ａ及び第２の壁部４４ｂは、切込み４１ｂを挟んで向かい合い、互いに面接触している。また、第１の壁部４４ａ及び第２の壁部４４ｂは、その突出方向の先端における稜線が、切込み４１ｂ及び貫通孔４１，４２，４３の中心軸に対して平行な直線状である。
【００３５】
同様に、肉厚部４５１，４５２，４５３，４５４同士は、互いに連結されて一体となり、壁部４５を構成する。壁部４５は、一方の側面４０ｂから他方の側面４０ｂに至るように、切込み４２ｂに沿って延び、この切込み４２ｂによって第１の壁部４５ａと第２の壁部４５ｂとに分割されている。また同様に、肉厚部４６１，４６２，４６３，４６４同士は、互いに連結されて一体となり、壁部４６を構成する。壁部４６は、一方の側面４０ｂから他方の側面４０ｂに至るように、切込み４３ｂに沿って延び、この切込み４３ｂによって第１の壁部４５ａと第２の壁部４５ｂとに分割されている。
【００３６】
第１の壁部４４ａ及び第２の壁部４４ｂ、第１の壁部４５ａ及び第２の壁部４５ｂ、ならびに第１の壁部４６ａ及び第２の壁部４６ｂは、それぞれが本発明に係る「一対の壁部」の一構成例である。
【００３７】
内周面４１ａのリップ部４１１，４１２，４１３は、切込み４１ｂを挟む領域に、切込み４１ｂに沿って厚みを厚くする、すなわち貫通孔４１の中心軸に平行な方向における厚みを厚くする肉厚部４７１，４７２，４７３，４７４を有している。同様に、内周面４２ａのリップ部４２１，４２２，４２３は、切込み４２ｂを挟む領域に、切込み４２ｂに沿って厚みを厚くする、すなわち貫通孔４２の中心軸に平行な方向における厚みを厚くする肉厚部（図示せず）を有している。また同様に、内周面４３ａのリップ部４３１，４３２，４３３は、切込み４３ｂを挟む領域に、切込み４３ｂに沿って厚みを厚くする、すなわち貫通孔４３の中心軸に平行な方向における厚みを厚くする肉厚部（図示せず）を有している。
【００３８】
肉厚部４７１は、リップ部４１１の一方の側面４０ｂ側に設けられている。肉厚部４７２は、リップ部４１１とリップ部４１２との間に設けられている。肉厚部４７３は、リップ部４１２とリップ部４１３との間に設けられている。肉厚部４７４は、リップ部４１３の他方の側面４０ｂ側に設けられている。
【００３９】
内周面４１ａのリップ部４１１，４１２，４１３の肉厚部４７１，４７２，４７３，４７４同士は、互いに連結されて一体となり、壁部４７を構成する。壁部４７は、切込み４１ｂによって第１の壁部４７ａと第２の壁部４７ｂとに分割されている。第１の壁部４７ａと第２の壁部４７ｂは、切込み４１ｂを挟んで向かい合い、互いに面接触している。また、第１の壁部４７ａ及び第２の壁部４７ｂは、その突出方向の先端における稜線が、切込み４１ｂ及び貫通孔４１の中心軸に対して平行な直線状である。
【００４０】
同様に、内周面４２ａのリップ部４２１，４２２，４２３に対応して設けられた各肉厚部は、互いに連結されて一体となり、壁部４８を構成する。壁部４８は、切込み４２ｂによって第１の壁部４８ａと第２の壁部４８ｂとに分割されている。第１の壁部４８ａと第２の壁部４８ｂは、切込み４２ｂを挟んで向かい合い、互いに面接触している。また同様に、内周面４３ａのリップ部４３１，４３２，４３３に対応して設けられた各肉厚部は、互いに連結されて一体となり、壁部４９を構成する。壁部４９は、切込み４３ｂによって第１の壁部４９ａと第２の壁部４９ｂとに分割されている。第１の壁部４９ａと第２の壁部４９ｂは、切込み４３ｂを挟んで向かい合い、互いに面接触している。
【００４１】
第１の壁部４７ａ及び第２の壁部４７ｂ、第１の壁部４８ａ及び第２の壁部４８ｂ、ならびに第１の壁部４９ａ及び第２の壁部４９ｂは、それぞれが本発明に係る「一対の壁部」の一構成例である。
【００４２】
電線３１は、シール部材４の切込み４１ｂを周方向に開いて形成された隙間から貫通孔４１に挿入される。電線３１が貫通孔４１内に挿入されると、切込み４１ｂが閉じてリップ部４１１，４１２，４１３の先端部が電線３１の外周面に接触する。同様に、電線３２は、シール部材４の切込み４２ｂを周方向に開いて形成された隙間から貫通孔４２内に挿入される。電線３２が貫通孔４２内に挿入されると、切込み４２ｂ閉じてリップ部４２１，４２２，４２３の先端部が電線３２の外周面に接触する。また同様に、電線３３は、シール部材４の切込み４３ｂを周方向に開いて形成された隙間から貫通孔４３内に挿入される。電線３３が貫通孔４３内に挿入されると、切込み４３ｂが周方向に閉じてリップ部４３１，４３２，４３３の先端部が電線３３の外周面に接触する。
【００４３】
電線３１，３２，３３が挿入されたシール部材４は、図１に示すように、雌側ハウジング２２の開口２２０に挿入される。シール部材４の外周面４０ａにおけるリップ部４０１，４０２，４０３及び壁部４４，４５，４６は、開口２２０の内面２２０ａに接する。開口２２０の内面２２０ａは、シール部材４の外周面４０ａにおけるリップ部４０１，４０２，４０３の外径よりも小さく形成されている。シール部材４が開口２２０に挿入されると、リップ部４０１，４０２，４０３及び壁部４４，４５，４６が開口２２０の内面２２０ａから押圧力を受けて弾性変形することによって、雌側ハウジング２２における開口２２０の内面２２０ａとシール部材４におけるリップ部４０１，４０２，４０３とが密着する。
【００４４】
また、シール部材４の外周面４０ａが押圧されることによって、内周面４１ａ，４２ａ，４３ａのリップ部４１１〜４１３，４２１〜４２３，４３１〜４３３及び壁部４７，４８，４９は、電線３１，３２，３３を押圧し、その反力を受けて弾性変形する。リップ部４１１〜４１３，４２１〜４２３，４３１〜４３３及び壁部４７，４８，４９が弾性変形することによって、電線３１，３２，３３の外周面とリップ部４１１〜４１３，４２１〜４２３，４３１〜４３３とが密着する。
【００４５】
次に、図５及び図６を参照して、本実施の形態の作用及び効果を説明する。
【００４６】
図５は、開口２２０に挿入された際のシール部材４の外周面４０ａの状態を示し、（ａ）は上面図、（ｂ）は（ａ）のＣ部の部分拡大図である。図６は、壁部４４，４５，４６を有しない、比較例に係るシール部材４００が開口２２０に挿入された際の外周面４０ａの状態を示し、（ａ）は上面図、（ｂ）は（ａ）のＤ部の部分拡大図である。
【００４７】
シール部材４００が開口２２０に挿入されると、リップ部４０１が開口２２０の内面２２０ａから押圧力を受けて押しつぶされ、切込み４１ｂの一側におけるリップ部４０１の先端部４０１ａと、切込み４１ｂの他側におけるリップ部４０１の先端部４０１ｂとが肉の流動によって互いに押し合い、周方向に対して互いに逆方向にずれる。これにより、リップ部４０１が開口２２０の内面２２０ａに密着する領域が切込み４１ｂの前後で途切れて不連続となり、図６（ｂ）中に矢印Ｅで示すように、空気等が流通するパスが形成される。このパスは、リップ部４０１，４０２，４０３と切込み４１ｂ，４２ｂ，４３ｂとが交わる各交差部において形成される。
【００４８】
一方、本実施の形態に係るシール部材４では、肉厚部４４１〜４４４，４５１〜４５４，４６１〜４６４によって壁部４４，４５，４６が形成されているため、この壁部４４，４５，４６によって空気等のパスの形成が抑制され、シール性が確保されている。この効果は、切込み４１ｂ，４２ｂ，４３ｂの前後におけるリップ部４０１，４０２，４０３の位置ずれが抑制される第１の作用、及び切込み４１ｂ，４２ｂ，４３ｂの前後でリップ部４０１，４０２，４０３が位置ずれしても、壁部４４，４５，４６によって空気等の流れが遮断される第２の作用によってもたらされる。
【００４９】
第１の作用は、リップ部４０１，４０２，４０３が開口２２０の内面２２０ａから受ける押圧力により、切込み４１ｂ，４２ｂ，４３ｂの一側から他側へ向かう方向へのリップ部４０１，４０２，４０３の肉の流動が壁部４４，４５，４６によって抑制されることにより、切込み４１ｂ，４２ｂ，４３ｂの前後におけるリップ部４０１，４０２，４０３の位置ずれが抑制されるものである。
【００５０】
第２の作用は、リップ部４０１，４０２，４０３が切込み４１ｂ，４２ｂ，４３ｂを境として互いに逆方向にずれても、このリップ部４０１，４０２，４０３のずれによって生じ得る隙間が壁部４４，４５，４６によって閉塞され、空気等が流通するパスを生じさせないものである。
【００５１】
この第１及び第２の作用は、貫通孔４１，４２，４３の内周面４１ａ，４２ａ，４３ａにおける壁部４７，４８，４９においても、同様に奏される。つまり、電線３１，３２，３３から受ける力によってリップ部４１１〜４１３，４２１〜４２３，４３１〜４３３が変形しても、この変形に伴うシール機能の低下が壁部４７，４８，４９によって抑制される。
【００５２】
このように、本実施の形態に係るシール部材４では、電線１１，１２，１３を貫通孔４１，４２，４３内に導く切込み４１ｂ，４２ｂ，４３ｂを有することにより、電線１１，１２，１３をシール部材４に挿通させる作業を容易化しながら、この切込み４１ｂ，４２ｂ，４３ｂに起因するシール機能の低下を抑制することができる。
【００５３】
なお、第１及び第２の作用の何れか一方のみによっても、シール機能の低下を抑制する効果を奏することができる。
【００５４】
［第２の実施の形態］
次に、本発明の第２の実施の形態について図７〜９を参照して説明する。図７は、本実施の形態に係るシール部材４Ａを示す斜視図である。図８は、シール部材４Ａを示し、（ａ）は上面図、（ｂ）は正面図である。図９は、図７のＢ−Ｂ線断面図である。
【００５５】
第１の実施の形態では、隣り合う複数のリップ部の肉厚部４４１〜４４４，４５１〜４５４，４６１〜４６４が互いに連結されて、貫通孔４１の中心軸に沿って延びる一対の壁部４４，４５，４６を構成する場合について説明したが、本実施の形態に係るシール部材４Ａでは、肉厚部の形成される範囲が異なっている。これ以外の構成は、第１の実施の形態に係るシール部材４と同様であるので、第１の実施の形態について説明したものと機能が共通する構成要素については、同一の符号を付してその重複した説明を省略する。
【００５６】
シール部材４Ａにおける外周面４０ａには、リップ部４０１の切込み４１ｂを挟む領域に肉厚部４４１Ａが、リップ部４０２の切込み４１ｂを挟む領域に肉厚部４４２Ａが、リップ部４０３の切込み４１ｂを挟む領域に肉厚部４４３Ａが、それぞれ設けられている。肉厚部４４１Ａは、シール部材４Ａの厚さ方向（貫通孔４１〜４３の中心軸に平行な方向）におけるリップ部４０１の中心線の両側に設けられている。同様に、肉厚部４４２Ａはシール部材４Ａの厚さ方向におけるリップ部４０２の中心線の両側に設けられ、肉厚部４４３Ａはシール部材４Ａの厚さ方向におけるリップ部４０３の中心線の両側に設けられている。
【００５７】
肉厚部４４１Ａと肉厚部４４２Ａとの間、及び肉厚部４４２Ａと肉厚部４４３Ａとの間には、それぞれ間隔が設けられ、互いに分離されている。肉厚部４４１Ａと肉厚部４４２Ａとの間における隙間は、リップ部４０１とリップ部４０２との間の谷部の位置に形成されている。また、肉厚部４４２Ａと肉厚部４４３Ａとの間における隙間は、リップ部４０２とリップ部４０３との間の谷部の位置に形成されている。
【００５８】
また、外周面４０ａには、リップ部４０１の切込み４２ｂを挟む領域に肉厚部４５１Ａが、リップ部４０２の切込み４２ｂを挟む領域に肉厚部４５２Ａが、リップ部４０３の切込み４２ｂを挟む領域に肉厚部４５３Ａが、それぞれ設けられている。またさらに、外周面４０ａには、リップ部４０１の切込み４３ｂを挟む領域に肉厚部４６１Ａが、リップ部４０２の切込み４３ｂを挟む領域に肉厚部４６２Ａが、リップ部４０３の切込み４３ｂを挟む領域に肉厚部４６３Ａが、それぞれ設けられている。
【００５９】
肉厚部４５１Ａ，４５２Ａ，４５３Ａ、及び肉厚部４６１Ａ，４６２Ａ，４６３Ａは、肉厚部４４１Ａ，４４２Ａ，４４３Ａと同様に形成されている。
【００６０】
貫通孔４１の内周面４１ａには、図９に示すように、リップ部４１１の切込み４１ｂを挟む領域に肉厚部４７１Ａが、リップ部４１２の切込み４１ｂを挟む領域に肉厚部４７２Ａが、リップ部４１３の切込み４１ｂを挟む領域に肉厚部４７３Ａが、それぞれ設けられている。肉厚部４７１Ａは、シール部材４Ａの厚さ方向におけるリップ部４１１の中心線の両側に設けられている。同様に、肉厚部４７２Ａはシール部材４Ａの厚さ方向におけるリップ部４１２の中心線の両側に設けられ、肉厚部４７３Ａはシール部材４Ａの厚さ方向におけるリップ部４１３の中心線の両側に設けられている。
【００６１】
肉厚部４７１Ａと肉厚部４７２Ａとの間、及び肉厚部４７２Ａと肉厚部４７３Ａとの間には、それぞれ間隔が設けられ、互いに分離されている。肉厚部４７１Ａと肉厚部４７２Ａとの間における隙間は、リップ部４１１とリップ部４１２との間の谷部の位置に形成されている。また、肉厚部４７２Ａと肉厚部４７３Ａとの間における隙間は、リップ部４１２とリップ部４１３との間の谷部の位置に形成されている。
【００６２】
なお、図示は省略しているが、貫通孔４２の内周面４２ａ、及び貫通孔４３の内周面４３ａにも、貫通孔４１の内周面４１ａにおける肉厚部４７１Ａ，４７２Ａ，４７３Ａと同様の肉厚部が設けられている。図８（ｂ）では、このうち最も手前側にある２つの肉厚部（貫通孔４２における肉厚部４８３Ａ、及び貫通孔４３における肉厚部４９３Ａ）のみを示している。肉厚部４８３Ａはリップ部４２３に、肉厚部４９３Ａはリップ部４３３に設けられている。
【００６３】
本実施の形態によれば、第１の実施の形態について説明したものと同様の作用及び効果がある。
【００６４】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。
【００６５】
また、本発明は、その要旨を逸脱しない範囲で適宜変形して実施することが可能である。例えば、上記第１及び第２の実施の形態では、外周面４０ａ及び内周面４１ａ，４２ａ，４３ａにリップ部４０１〜４０３，４１１〜４１３，４２１〜４２３，４３１〜４３３が形成されていたが、リップ部は外周面４０ａ及び内周面４１ａ，４２ａ，４３ａの少なくとも何れかに形成されていればよい。
【００６６】
また、外周面４０ａのリップ部４０１〜４０３及び内周面４１ａ，４２ａ，４３ａのリップ部４１１〜４１３，４２１〜４２３，４３１〜４３３に肉厚部４４１〜４４３，４５１〜４５３，４６１〜４６３，４７１〜４７３，４８１〜４８３，４９１〜４９３がそれぞれ設けられていたが、肉厚部は、外周面４０ａのリップ部４０１〜４０３及び内周面のリップ部４１１〜４１３，４２１〜４２３，４３１〜４３３の少なくとも何れかに形成されていればよい。
【００６７】
また、外周面４０ａ及び内周面４１ａ，４２ａ，４３ａにリップ部４０１〜４０３，４１１〜４１３，４２１〜４２３，４３１〜４３３がそれぞれに３箇所ずつ形成されていたが、リップ部は何箇所に形成されてもよい。
【００６８】
また、シール部材４，４Ａに形成される貫通孔の数にも特に制限はなく、貫通孔の数は１つでもよく、２つ又は４つ以上でもよい。
【符号の説明】
【００６９】
１…コネクタ装置、４，４Ａ，４００…シール部材、１１…雄コネクタ、１２…雌コネクタ、２１…雄側ハウジング、２２…雌側ハウジング、２２０…開口、２２０ａ…内面、３１，３２，３３…電線、３１ａ，３２ａ，３３ａ…芯線、３１ｂ，３２ｂ，３３ｂ…絶縁被膜、４０ａ…外周面、４０ｂ…側面、４１，４２，４３…貫通孔、４１ａ，４２ａ，４３ａ…内周面、４１ｂ，４２ｂ，４３ｂ…切込み、４４，４５，４６，４７，４８，４９…壁部、４４ａ，４５ａ，４６ａ，４７ａ，４８ａ，４９ａ…第１の壁部、４４ｂ，４５ｂ，４６ｂ，４７ｂ，４８ｂ，４９ｂ…第２の壁部、１１０…端子台部、１１１，１１２，１１３…雄側接続端子、４０１，４０２，４０３，４１１，４１２，４１３，４２１，４２２，４２３，４３１，４３２，４３３…リップ部、４０１ａ，４０１ｂ…先端部、４４１，４４２，４４３，４４４，４５１，４５２，４５３，４５４，４６１，４６２，４６３，４６４，４７１，４７２，４７３，４７４，４４１Ａ，４４２Ａ，４４３Ａ，４５１Ａ，４５２Ａ，４５３Ａ，４６１Ａ，４６２Ａ，４６３Ａ，４７１Ａ，４７２Ａ，４７３Ａ，４８３Ａ，４９３Ａ…肉厚部
【図１】
2013214429.tif 000003
【図２】
2013214429.tif 000004
【図３】
2013214429.tif 000005
【図４】
2013214429.tif 000006
【図５】
2013214429.tif 000007
【図６】
2013214429.tif 000008
【図７】
2013214429.tif 000009
【図８】
2013214429.tif 000010
【図９】
2013214429.tif 000011